(57)【要約】      （修正有）【課題】位置決め部材を誤動作で停止しても浮き部材が重力作用により自動的に復位し、水受容器等の調整が不要で、再運転を行うことができる除湿機用タンクを提供する。【解決手段】タンクは、殻部材１０と、水受容器２０と、マイクロスイッチ３０と、位置決め部材４０と、浮き部材５０を有する。水受容器は、摺動可能に殻部材に取り付けられ、マイクロスイッチは、殻部材の外側の壁に枢設されるスイッチレバー３１を備え、位置決め部材は、水受容器の内部に設置され、移動桿４１及びガイドレール４２を備える。移動桿は、一端がスイッチレバーの側部に対応するように、第一方向に沿って摺動可能に水受容器に取り付けられ、ガイドレールは、第二方向に沿って移動桿に設けられ、且つ、第一方向が第二方向との間に１８０度より小さい角度を有する。浮き部材は、第一方向と垂直する第三方向に沿って摺動可能に水受容器の内部に設置され、上部に凸部５１が設けられ、この凸部が摺動可能にガイドレールに設置される。【選択図】図４
0003188193.tif 000002
【実用新案登録請求の範囲】
【請求項１】
中空状の殻部材と、
摺動可能に前記殻部材に取り付けられる水受容器と、
前記殻部材の外側の壁に装着され、スイッチレバーを備え、該スイッチレバーが殻部材の外側の壁に枢設されるマイクロスイッチと、
前記水受容器の内部に設置され、移動桿及びガイドレールを備え、該移動桿は、一端がマイクロスイッチのスイッチレバーの側部に対応するように、第一方向に沿って摺動可能に水受容器に取り付けられ、該ガイドレールは、第二方向に沿って移動桿に設けられ、且つ、該第一方向が第二方向との間に１８０度より小さい角度を有する位置決め部材と、
前記第一方向と垂直する第三方向に沿って摺動可能に前記水受容器の内部に設置され、上部に凸部が設けられ、該凸部が摺動可能に位置決め部材のガイドレールに設置される浮き部材と、有することを特徴とする位置決め部材を備えるタンク。
【請求項２】
前記ガイドレールにおける、一端が移動桿に接着され、他端が水受容器の切欠き口と反対する側へ斜めに延出することを特徴とする請求項１に記載の位置決め部材を備えるタンク。
【請求項３】
前記位置決め部材はさらに、中空状を呈すると共に、上部及び下部にそれぞれ開口を形成するチューブを備え、該チューブは、水受容器に固定され、第一方向の相対する両側の壁にそれぞれ位置決め孔が形成され、前記移動桿の両端がそれぞれ移動桿の位置決め孔に貫設され、
前記浮き部材がチューブの内部に装着されることを特徴とする請求項１または２に記載の位置決め部材を備えるタンク。
【請求項４】
前記チューブの内周面に複数のタブが第三方向に沿って設けられ、
前記浮き部材は、チューブのタブに接触するように、該チューブに装着され、第三方向だけ摺動することができることを特徴とする請求項３に記載の位置決め部材を備えるタンク。
【請求項５】
前記殻部材の一側の壁に貫通孔が形成され、
該水受容器の一側の壁における殻部材の貫通孔に対応する箇所に切欠き口が形成され、
前記スイッチレバーが殻部材の貫通孔に対応し、
前記移動桿の一端が水受容器の切欠き口及び殻部材の貫通孔に対応することを特徴とする請求項１乃至４の何れか１項に記載の位置決め部材を備えるタンク。
【考案の詳細な説明】
【技術分野】
【０００１】
本考案は、家電製品の除湿機などに用いて水を貯めるためのタンクに関するものである。
【背景技術】
【０００２】
水を貯めるためにタンクを設置する家電製品は、例えば、除湿機であり、除湿によって取り除いた水を貯めるために、タンクが除湿機の内部に設置され、水漏れを防ぐために、タンクが満水になると自動的に運転を停止し、水を捨ててからタンクを正しくいれると、運転が再開することができる。
【０００３】
図７及び図８に示すように、既存の除湿機は、タンクの水量に伴って運転状態を制御することが可能なものを有し、殻部材６００と、ケース６０と、浮き部材７０と、マイクロスイッチ８０を備え、その内、該ケース６０は、摺動可能に殻部材６００の内部に取り付けられ、該浮き部材７０は、枢転可能にケース６０の上部に設置され、該浮き部材７０の外側の壁にケース６０を貫通する駆動桿７０１が延設され、該マイクロスイッチ８０は、ケース６０の外側の壁に装着され、該マイクロスイッチ８０における駆動桿７０１と対応する箇所にスイッチレバー８０１が枢設される。
【０００４】
既存の除湿機を使用する時、通常の状態においては、浮き部材７０が水平状となっていることから、駆動桿７０１がマイクロスイッチ８０のスイッチレバー８０１を垂直状に押圧し、この時、マイクロスイッチ８０の制御により除湿機を正常に運転しながら、空気中の湿気を取り除いた水をケース６０に貯める。そして、浮き部材７０がケース６０に貯めた水量に伴って枢転し始め、満水の時には、浮き部材７０の駆動桿７０１がスイッチレバー８０１から脱離してスイッチレバー８０１の下端とケース６０の壁の間に移動し、この時、スイッチレバー８０１が弾性体の復元力によりややケース６０の内部へ枢動し、除湿機の運転を自動停止にさせる。
【０００５】
一旦、除湿機の運転を自動停止になると、使用者がケース６０を殻部材６００から取り外してケース６０の水を捨てて、浮き部材７０を水平状に復位するかつ駆動桿７０１がスイッチレバー８０１に当接するように、もう一度ケース６０を殻部材６００に取り付けないと、除湿機の運転を再開することはしない。
【考案の概要】
【考案が解決しようとする課題】
【０００６】
しかしながら、既存の除湿機を使用する時、使用者が不注意で除湿機を逆に放置したり、揺動したりして、駆動桿がスイッチレバーの下端に係合してしまうと、その浮き部材を水平状に戻ることができなく、ケースの水量がまだ浮き部材のところに貯めていなくても、除湿機の運転が自動停止になってしまう。この状態を解除するために、使用者がケースを外側へ引いて殻部材から取り外して、もう一度ケースを殻部材に取り付け、駆動桿がスイッチレバーを押圧する状態まで、この動作を繰り返し、そうしないと、除湿機の運転が再開できないので、使用上、非常に不便であった。
【課題を解決するための手段】
【０００７】
本考案に係る位置決め部材を備えるタンクは、
中空状の殻部材と、
摺動可能に前記殻部材に取り付けられる水受容器と、
前記殻部材の外側の壁に装着され、スイッチレバーを備え、該スイッチレバーが殻部材の外側の壁に枢設されるマイクロスイッチと、
前記水受容器の内部に設置され、移動桿及びガイドレールを備え、該移動桿は、一端がマイクロスイッチのスイッチレバーの側部に対応するように、第一方向に沿って摺動可能に水受容器に取り付けられ、該ガイドレールは、第二方向に沿って移動桿に設けられ、且つ、該第一方向が第二方向との間に１８０度より小さい角度を有する位置決め部材と、
前記第一方向と垂直する第三方向に沿って摺動可能に前記水受容器の内部に設置され、上部に凸部が設けられ、該凸部が摺動可能に位置決め部材のガイドレールに設置される浮き部材と、有するものである。
【０００８】
かかる位置決め部材を備えるタンクにおいて、前記ガイドレールにおける、一端が移動桿に接着され、他端が水受容器の切欠き口と反対する側へ斜めに延出することが好ましい。
【０００９】
かかる位置決め部材を備えるタンクにおいて、前記位置決め部材はさらに、中空状を呈すると共に、上部及び下部にそれぞれ開口を形成するチューブを備え、該チューブは、水受容器に固定され、第一方向の相対する両側の壁にそれぞれ位置決め孔が形成され、前記移動桿の両端がそれぞれ移動桿の位置決め孔に貫設され、
前記浮き部材がチューブの内部に装着されることが好ましい。
【００１０】
かかる位置決め部材を備えるタンクにおいて、前記チューブの内周面に複数のタブが第三方向に沿って設けられ、
前記浮き部材は、チューブのタブに接触するように、該チューブに装着され、第三方向だけ摺動することができる。
【００１１】
前記殻部材の一側の壁に貫通孔が形成され、
該水受容器の一側の壁における殻部材の貫通孔に対応する箇所に切欠き口が形成され、
前記スイッチレバーが殻部材の貫通孔に対応し、
前記移動桿の一端が水受容器の切欠き口及び殻部材の貫通孔に対応することが好ましい。
【考案の効果】
【００１２】
本考案の位置決め部材を備えるタンクは、上述した位置決め部材を備えることから、浮き部材の上下移動方向を移動桿の前後移動方向に変更することができ、タンクを使用する時に、水受容器を満水になると、浮き部材が上方へ移動すると共に、移動桿がマイクロスイッチへ移動してスイッチレバーの側部を押圧し、このため、マイクロスイッチの制御により回路を開いて無通電状態とし、電気製品を自動停止になる。
【００１３】
また、本考案の位置決め部材を備えるタンクを使用する時に、もし外部からの衝撃を受けて誤動作を発生する場合に、その浮き部材を一時に振動または移動しても重力作用により自動的に復位することができるので、水受容器などの調整する工夫が不要で、除湿機の再運転を行われ、使用上、非常に便利である。
【図面の簡単な説明】
【００１４】
【図１】本考案に係る位置決め部材を備えるタンクの斜視図である。
【図２】本考案に係る位置決め部材を備えるタンクの分解斜視図である。
【図３】本考案に係る位置決め部材を備えるタンクの部分分解斜視図である。
【図４】本考案に係る位置決め部材を備えるタンクの後面視分解斜視図である。
【図５】本考案に係る位置決め部材を備えるタンクにおいて、マイクロスイッチの制御により通電状態を示す部分拡大側面視断面図である。
【図６】本考案に係る位置決め部材を備えるタンクにおいて、マイクロスイッチの制御により無通電状態を示す側面視断面図である。
【図７】既存のタンクにおいて、駆動桿がスイッチレバーを押圧して通電状態を示す側面視断面図である。
【図８】既存のタンクにおいて、駆動桿がスイッチレバーから脱離して無通電状態を示す側面視断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２に示すように、本考案に係る位置決め部材を備えるタンクは、殻部材１０と、水受容器２０と、マイクロスイッチ３０と、位置決め部材４０と、浮き部材５０を有する。
【００１７】
図２、図３、図５に示すように、該殻部材１０は、中空状を呈し、一側の壁に入り口１１が形成され、他側の壁に貫通孔１２が形成される。該水受容器２０は、入り口１１から摺動可能に殻部材１０に取り付けられ、上部に開口２１が形成され、一側の壁における殻部材１０の貫通孔１２に対応する箇所に切欠き口２２が形成され、且つ、該切欠き口２２が貫通孔１２と連通する（図２及び図５の如く）。
【００１８】
前記マイクロスイッチ３０は、殻部材１０の外側の壁かつ貫通孔１２の近傍に装着され、該殻部材１０の外側の壁における貫通孔１２に対応する箇所にスイッチレバー３１が枢設され、該スイッチレバー３１は、該殻部材１０の貫通孔１２に向かって自由に枢動することができる。
【００１９】
図２、図４及び図５に示すように、前記位置決め部材４０は、水受容器２０の内部に設置され、移動桿４１及びガイドレール４２を備え、該移動桿４１は、一端がマイクロスイッチ３０のスイッチレバー３１の側部に対応するように、第一方向Ａ１に沿って摺動可能に水受容器２０に取り付けられる。本考案における位置決め部材４０はさらに、中空状を呈すると共に、上部及び下部にそれぞれ開口を形成するチューブ４１０を備え、該チューブ４１０は、水受容器２０に固定され、内周面に複数のタブが縦方向に設けられ、第一方向Ａ１の相対する両側の壁にそれぞれ位置決め孔４１１が形成される。
【００２０】
前記移動桿４１における両端がそれぞれ移動桿４１の位置決め孔４１１を通過し、且つ、その一端が水受容器２０の切欠き口２２及び殻部材１０の貫通孔１２に対応する。前記ガイドレール４２は、第二方向Ａ２に沿って移動桿４１に設けられる。また、第一方向Ａ１が第二方向Ａ２との間に１８０度より小さい角度を有し、即ち、第一方向Ａ１が第二方向Ａ２と平行にすることはない。本実施例において、ガイドレール４２の一端が移動桿４１に接着され、ガイドレール４２の他端が水受容器２０の切欠き口２２と反対する側へ斜めに延出することが好ましい（図５の如く）。
【００２１】
前記浮き部材５０は、第三方向Ａ３に沿って摺動可能に水受容器２０の内部に設置される。本実施例における浮き部材５０は、位置決め部材４０のタブに接触しながらチューブ４１０の内部に装着され、また、それらのタブが第三方向Ａ３（即ち、縦方向）に沿って設けられているので、該浮き部材５０が第三方向Ａ３だけ摺動することできる。さらに、第三方向Ａ３は、第一方向Ａ１と垂直することから、第二方向Ａ２との角度を１８０度より小さい。本実施例における浮き部材５０は、上部に凸部５１が設けられ、該凸部５１が摺動可能に位置決め部材４０のガイドレール４２に設置される。
【００２２】
図５に示すように、本考案に係る位置決め部材を備えるタンクを使用する時、通常の状態において、浮き部材５０が重力作用により第三方向Ａ３に沿って最も下方の位置に摺動すると共に、凸部５１がガイドレール４２の下端に摺動することから、移動桿４１が水受容器２０の切欠き口２２及び殻部材１０の貫通孔１２を通過してスイッチレバー３１の側部を押圧する。このため、マイクロスイッチ３０の制御により回路を閉ざして通電状態とし、除湿機を正常に運転することができる。
【００２３】
一方、図６に示すように、水受容器２０に所定の水量を貯めると、浮き部材５０が水の浮力により第三方向Ａ３に沿って上方へ摺動すると共に、凸部５１がガイドレール４２の上端に摺動する。且つ、浮き部材５０が第三方向Ａ３に沿ってしか移動することができないので、浮き部材５０が第三方向Ａ３に沿って移動する同時に、ガイドレール４２が第二方向Ａ２に沿って移動する。また、ガイドレール４２の一端が移動桿４１に接着されているので、ガイドレール４２が第二方向Ａ２に沿って移動する同時に、ガイドレール４２が第一方向Ａ１に沿って移動する。それによれば、移動桿４１がマイクロスイッチ３０のスイッチレバー３１の側部から離れ、満水の時には、移動桿４１が完全にマイクロスイッチ３０のスイッチレバー３１の側部と接触しないようになる。このため、マイクロスイッチ３０の制御により回路を開いて無通電状態とし、除湿機を自動停止になる。
【００２４】
本考案に係る位置決め部材を備えるタンクは、第一方向Ａ１の移動桿４１に第二方向Ａ２のガイドレール４２が設けられると共に、浮き部材５０が摺動可能にガイドレール４２に取り付けられて第三方向Ａ３に沿ってしか移動することができないので、浮き部材５０が第三方向Ａ３に沿って上下移動する時に、その浮き部材５０が第三方向Ａ３に移動することを、ガイドレール４２が第二方向Ａ２に移動することになり、また、ガイドレール４２が第二方向Ａ２に移動することを、移動桿４１が第一方向Ａ１に移動することになり、即ち、浮き部材５０が上下方向移動することを、移動桿４１が前後方向に進退することになる。
【００２５】
本考案に係る位置決め部材を備えるタンクを使用する時、水受容器２０を満水になる前に、移動桿４１がマイクロスイッチ３０のスイッチレバー３１の側部を押圧する状態を維持しているが、使用者が不注意で家電製品の除湿機などを移動したり、ぶつかったりすれば、浮き部材５０を振動して、移動桿４１がスイッチレバー３１の側部から離れ、スイッチレバー３１が第一方向Ａ１の所定の範囲内で自由に枢動することが可能になる。一旦、その外部からの力を消去すると、水受容器２０を外側へ引いて殻部材１０から取り外すことは不要で、浮き部材５０が重力作用により自動的に下方へ復位し、移動桿４１もマイクロスイッチ３０のスイッチレバー３１を押圧するように復位することから、除湿機の再運転を行う。
【００２６】
上述したことによって、本考案に係る位置決め部材を備えるタンクは、水受容器２０の満水の時しか浮き部材５０を最も上方の位置に保持できないので、他の状態においては、例えば、外部からの衝撃を受けて誤動作を発生するなど、浮き部材５０を一時に振動または移動しても重力作用により自動的に復位することができ、使用上、非常に便利である。
【符号の説明】
【００２７】
１０        殻部材
１１         入り口
１２          貫通孔
２０         水受容器
２１         開口
２２         切欠き口
３０         マイクロスイッチ
３１         スイッチレバー
４０         位置決め部材
４１         移動桿
４１０      チューブ
４１１      位置決め孔
４２         ガイドレール
５０         浮き部材
５１         凸部
Ａ１         第一方向
Ａ２         第二方向
Ａ３         第三方向
６００      殻部材
６０         ケース
７０         浮き部材
７０１      駆動桿
８０         マイクロスイッチ
８０１      スイッチレバー
【図１】
0003188193.tif 000003
【図２】
0003188193.tif 000004
【図３】
0003188193.tif 000005
【図４】
0003188193.tif 000006
【図５】
0003188193.tif 000007
【図６】
0003188193.tif 000008
【図７】
0003188193.tif 000009
【図８】
0003188193.tif 000010